(57)【特許請求の範囲】
【請求項１】
ＢＳ追加チャンネル用の放送波信号を送信する送信部とこの送信部から伝送路を介して前記ＢＳ追加チャンネル用の放送波信号を受信する受信部とを用いて、前記伝送路の伝送特性を試験するＢＳ追加チャンネル用伝送路試験装置であって、
前記送信部は、
既存のＢＳチャンネル放送波信号が入力される既存ＢＳチャンネル放送波信号入力手段と、
この既存ＢＳチャンネル放送波信号入力手段で入力された既存のＢＳチャンネル放送波信号から試験用ＢＳ追加チャンネル放送波信号を生成するＢＳ追加チャンネル放送波信号生成手段と、
前記受信部における周波数変換に供される基準信号および前記試験用ＢＳ追加チャンネル放送波信号を前記伝送路に送信する送信手段とを備え、
前記受信部は、
前記送信手段から送信された基準信号および前記試験用ＢＳ追加チャンネル放送波信号を前記伝送路を介して受信する受信手段と、
この受信手段で受信された基準信号に基づいて、前記試験用ＢＳ追加チャンネル放送波信号の周波数変換に用いられる周波数変換用局部発振信号を生成する基準信号周波数変換手段と、
この基準信号周波数変換手段で生成された周波数変換用局部発振信号に基づいて、前記試験用ＢＳ追加チャンネル放送波信号を変換元の周波数に変換し出力する出力手段とを備えたことを特徴とするＢＳ追加チャンネル用伝送路試験装置。
【請求項２】
ＢＳ追加チャンネル用の放送波信号を送信する送信部とこの送信部から伝送路を介して前記ＢＳ追加チャンネル用の放送波信号を受信する受信部とを用いて、前記伝送路の伝送特性を試験するＢＳ追加チャンネル用伝送路試験装置であって、
前記送信部は、
既存のＢＳチャンネル放送波信号が入力される既存ＢＳチャンネル放送波信号入力手段と、
この既存ＢＳチャンネル放送波信号入力手段で入力された既存のＢＳチャンネル放送波信号から試験用ＢＳ追加チャンネル放送波信号を生成するＢＳ追加チャンネル放送波信号生成手段と、
このＢＳ追加チャンネル放送波信号生成手段で生成した試験用ＢＳ追加チャンネル放送波信号を前記伝送路に送信する送信手段とを備え、
前記受信部は、
前記送信手段から送信された試験用ＢＳ追加チャンネル放送波信号を前記伝送路を介して受信する受信手段と、
この受信手段で受信された試験用ＢＳ追加チャンネル放送波信号の周波数変換に供される周波数変換用局部発振信号を生成する局部発振信号生成手段と、
この局部発振信号生成手段で生成された周波数変換用局部発振信号に基づいて、前記試験用ＢＳ追加チャンネル放送波信号を変換元の周波数に変換し出力する出力手段とを備えたことを特徴とするＢＳ追加チャンネル用伝送路試験装置。
【請求項３】
ＢＳ追加チャンネル用の放送波信号を伝送させる伝送路の伝送特性を試験する試験信号を発生するＢＳ追加チャンネル用伝送路試験信号発生装置であって、
既存のＢＳチャンネルのＩＦ信号が入力される既存ＢＳチャンネル放送波信号入力手段と、
この既存ＢＳチャンネル放送波信号入力手段で入力された既存のＢＳチャンネルのＩＦ信号からＢＳ−１７、１９、２１、２３チャンネル用ＢＳ−ＩＦ信号の少なくとも１つのＢＳ−ＩＦ信号を生成するＢＳ追加チャンネル放送波信号生成手段と、
を備えたことを特徴とするＢＳ追加チャンネル用伝送路試験信号発生装置。
【発明の詳細な説明】
【０００１】
【発明の属する技術分野】
本発明は、テレビ共同受信設備の伝送路の特性測定装置に係り、特に、ＢＳ追加チャンネルのＢＳ−ＩＦ信号を伝送させる伝送路の伝送特性を測定試験するＢＳ追加チャンネル用伝送路試験装置およびＢＳ追加チャンネル用伝送路試験信号発生装置に関する。
【０００２】
【従来の技術】
一般に、既設集合住宅のテレビ共同受信設備では、当該集合住宅の屋上等に備えられるパラボナアンテナによって、放送衛星から送信されているＢＳ−１〜ＢＳ―１５チャンネルの放送波信号が受信され、この受信された放送波信号が分配器によって分配され、伝送路を介して、各部屋（各家庭）に伝送されている。
【０００３】
ところが、既設集合住宅のテレビ共同受信設備の中には、ＢＳ−１〜ＢＳ―１５チャンネルの放送波信号を受信できても、ＢＳ追加チャンネルのＢＳ−ＩＦ帯（Ｂｒｏａｄｃａｓｔｉｎｇ  Ｓａｔｅｌｌｉｔｅ−ＩｎｔｅｒｍｅｄｉａｔｅＦｒｅｑｕｅｎｃｙ）に対応していない機器（伝送路も含む）が使用されている場合がある。特に、いわゆるアナログ衛星放送が開始された頃に施工された既設集合住宅のテレビ共同受信設備では、ＢＳ−１〜ＢＳ−１５チャンネルまでに対応している機器が多く、この機器を使用している場合は、ＢＳ追加チャンネルの帯域における伝送が可能であるとは限らない。
【０００４】
例えば、既設集合住宅のテレビ共同受信設備を改修することなく、当該テレビ共同受信設備にＢＳ追加チャンネルのＢＳ−ＩＦ信号を伝送すると、ＢＳ−１〜ＢＳ−１５チャンネルのＢＳ−ＩＦ信号に比べ、ＢＳ追加チャンネルのＢＳ−ＩＦ信号が著しく減衰したり、全く伝送できないといった事態が生じうる。
【０００５】
【発明が解決しようとする課題】
このため、従来、既設集合住宅のテレビ共同受信設備がＢＳ追加チャンネルの伝送に適しているかどうかは、一般的な手法として、ＢＳ追加チャンネルの放送波信号と同等の信号を発生させる専用の装置等を使用し、場合によってはテレビ共同受信設備に改修を加え、当該装置で発生させた試験信号または放送波を、当該テレビ共同受信設備の伝送路に伝送して判断するしかなかった。つまり、当該ＢＳ追加チャンネルの放送波と同等の信号を発生させる専用の装置（ＢＳ−ＩＦ信号を発生させる専用の装置）が必要になるという問題がある。
【０００６】
そこで、本発明の目的は前記した従来の技術が有する課題を解消し、ＢＳ−ＩＦ信号を発生させる専用の装置を必要とすることなく、また、テレビ共同受信設備に改修を加えることなく、当該設備の特に伝送路がＢＳ追加チャンネルのＢＳ−ＩＦ信号を伝送できるかどうかを試験することができるＢＳ追加チャンネル用伝送路試験装置およびＢＳ追加チャンネル用伝送路試験信号発生装置を提供することにある。
【０００７】
【課題を解決するための手段】
前記した目的を達成するため、本発明は以下に示す構成とした。
請求項１記載のＢＳ追加チャンネル用伝送路試験装置は、ＢＳ追加チャンネル用の放送波信号を送信する送信部とこの送信部から伝送路を介して前記ＢＳ追加チャンネル用の放送波信号を受信する受信部とを用いて、前記伝送路の伝送特性を試験するＢＳ追加チャンネル用伝送路試験装置であって、前記送信部は、既存のＢＳチャンネル放送波信号が入力される既存ＢＳチャンネル放送波信号入力手段と、この既存ＢＳチャンネル放送波信号入力手段で入力された既存のＢＳチャンネル放送波信号から試験用ＢＳ追加チャンネル放送波信号を生成するＢＳ追加チャンネル放送波信号生成手段と、前記受信部における周波数変換に供される基準信号および前記試験用ＢＳ追加チャンネル放送波信号を前記伝送路に送信する送信手段とを備え、前記受信部は、前記送信手段から送信された基準信号および前記試験用ＢＳ追加チャンネル放送波信号を前記伝送路を介して受信する受信手段と、この受信手段で受信された基準信号に基づいて、前記試験用ＢＳ追加チャンネル放送波信号の周波数変換に用いられる周波数変換用局部発振信号を生成する基準信号周波数変換手段と、この基準信号周波数変換手段で生成された周波数変換用局部発振信号に基づいて、前記試験用ＢＳ追加チャンネル放送波信号を変換元の周波数に変換し出力する出力手段とを備えたことを特徴とする。
【０００８】
かかる構成によれば、まず、送信部において、ＢＳ追加チャンネル放送波信号生成手段で既存のＢＳチャンネル放送信号から試験用ＢＳ追加チャンネル放送波信号が生成される。つまり、このＢＳ追加チャンネル放送波信号生成手段では、新たな回路構成を設ける必要がない。そして、試験用ＢＳ追加チャンネル放送波信号が基準信号と共に、送信部から伝送路に送信される。その後、伝送路を介して受信部の受信手段で受信した基準信号に基づいて基準信号周波数変換手段で周波数変換用局部発振信号が生成される。この周波数変換用局部発振信号に基づいて、出力手段で試験用ＢＳ追加チャンネル放送波信号が変換元の周波数、すなわち、既存のＢＳチャンネル放送波信号に変換され出力される。例えば、既存のＢＳデジタルチューナに出力される。なお、既存のＢＳチャンネル放送波信号、試験用ＢＳ追加チャンネル放送波信号は、既存のチャンネル放送波信号のＢＳ−ＩＦ信号（中間周波数信号）、試験用ＢＳ追加チャンネル放送波信号のＢＳ−ＩＦ信号を指すものである。
【０００９】
請求項２記載のＢＳ追加チャンネル用伝送路試験装置は、ＢＳ追加チャンネル用の放送波信号を送信する送信部とこの送信部から伝送路を介して前記ＢＳ追加チャンネル用の放送波信号を受信する受信部とを用いて、前記伝送路の伝送特性を試験するＢＳ追加チャンネル用伝送路試験装置であって、前記送信部は、既存のＢＳチャンネル放送波信号が入力される既存ＢＳチャンネル放送波信号入力手段と、この既存ＢＳチャンネル放送波信号入力手段で入力された既存のＢＳチャンネル放送波信号から試験用ＢＳ追加チャンネル放送波信号を生成するＢＳ追加チャンネル放送波信号生成手段と、このＢＳ追加チャンネル放送波信号生成手段で生成した試験用ＢＳ追加チャンネル放送波信号を前記伝送路に送信する送信手段とを備え、前記受信部は、前記送信手段から送信された試験用ＢＳ追加チャンネル放送波信号を前記伝送路を介して受信する受信手段と、この受信手段で受信された試験用ＢＳ追加チャンネル放送波信号の周波数変換に供される周波数変換用局部発振信号を生成する局部発振信号生成手段と、この局部発振信号生成手段で生成された周波数変換用局部発振信号に基づいて、前記試験用ＢＳ追加チャンネル放送波信号を変換元の周波数に変換し出力する出力手段とを備えたことを特徴とする。
【００１０】
かかる構成によれば、まず、送信部においてＢＳ追加チャンネル放送波信号生成手段で既存のＢＳチャンネル放送信号から試験用ＢＳ追加チャンネル放送波信号が生成される。そして、試験用ＢＳ追加チャンネル放送波信号が、送信部から伝送路に送信される。その後、受信部において局部発振信号生成手段で生成された周波数変換用局部発振信号に基づいて、出力手段で試験用ＢＳ追加チャンネル放送波信号が変換元の周波数、すなわち、既存のＢＳチャンネル放送波信号に変換され出力される。例えば、既存のＢＳチューナに出力される。
【００１１】
請求項３記載のＢＳ追加チャンネル用伝送路試験信号発生装置は、ＢＳ追加チャンネル用の放送波信号を伝送させる伝送路の伝送特性を試験する試験信号を発生するＢＳ追加チャンネル用伝送路試験信号発生装置であって、既存のＢＳチャンネルのＩＦ信号が入力される既存ＢＳチャンネル放送波信号入力手段と、この既存ＢＳチャンネル放送波信号入力手段で入力された既存のＢＳチャンネルのＩＦ信号からＢＳ−１７、１９、２１、２３チャンネル用ＢＳ−ＩＦ信号の少なくとも１つのＢＳ−ＩＦ信号を生成するＢＳ追加チャンネル放送波信号生成手段と、を備えたことを特徴とする。
【００１２】
かかる構成によれば、まず、既存ＢＳチャンネル放送波信号入力手段で既存のＢＳチャンネルのＩＦ信号が入力され、この入力された既存のＢＳチャンネルのＩＦ信号からＢＳ追加チャンネル放送波信号生成手段でＢＳ追加チャンネルであるＢＳ−１７、１９、２１、２３チャンネルの少なくとも１つのＢＳ−ＩＦ信号が生成される。
【００１３】
【発明の実施の形態】
以下、本発明の実施形態を図面に基づいて詳細に説明する。
（ＢＳ追加チャンネル用伝送路試験装置の構成）
図１はＢＳ追加チャンネル用伝送路試験装置のブロック図である。この図１に示すように、ＢＳ追加チャンネル用伝送路試験装置１は、送信部３と、受信部５とを備えている。
【００１４】
ＢＳ追加チャンネル用伝送路試験装置１は、ＢＳ追加チャンネル放送波信号（２０００年のＷＲＣ−２０００［国際電気通信連合世界無線通信会議］で日本への追加割当が決定したＢＳ−１７［中心周波数１２．０３４３６ＧＨｚ］、ＢＳ−１９［同１２．０７２７２ＧＨｚ］、ＢＳ−２１［同１２．１１１０８ＧＨｚ］、ＢＳ−２３［同１２．１４９４４ＧＨｚ］）のＢＳ−ＩＦ（中間周波数）信号を、既設集合住宅等に設置されているテレビ共同受信設備の伝送路に伝送させた際の伝送特性を試験するための装置である。
【００１５】
送信部３は、既存ＢＳチャンネル放送波信号入力手段３ａと、ＢＳ追加チャンネル放送波信号生成手段３ｂと、基準信号付加手段３ｃと、送信手段３ｄとを備えている。この送信部３では、既存のＢＳチャンネル放送波信号からＢＳ追加チャンネル放送波信号を生成し、このＢＳ追加チャンネル放送波信号のＢＳ−ＩＦ信号を伝送路に送信するものである。
【００１６】
既存ＢＳチャンネル放送波信号入力手段３ａは、既存のＢＳチャンネル放送波信号を受信し、この受信した既存のＢＳチャンネル放送波信号をＢＳ追加チャンネル放送波信号生成手段３ｂに入力するものである。なお、既存のＢＳチャンネル放送波信号とはＢＳ−１からＢＳ−１５までのチャンネル放送波信号であり、これらＢＳ−１からＢＳ−１５までの中心周波数１１．７２７４８ＧＨｚから１１．９９６００ＧＨｚである。
【００１７】
ＢＳ追加チャンネル放送波信号生成手段３ｂは、既存のＢＳチャンネル放送波信号からＢＳ追加チャンネルの中間周波数信号（ＢＳ−ＩＦ信号）を生成するものである。
【００１８】
基準信号付加手段３ｃは、受信部５で周波数の変換に利用される基準信号を送信部から送信する信号に付加するものである。この基準信号は、周波数変換する前の信号の周波数と周波数変換した後の信号の周波数との差または和の周波数の信号である局部発振信号を生成する際に、基準となる信号である。
【００１９】
送信手段３ｄは、ＢＳ追加チャンネル放送波信号の中間周波数信号であるＢＳ−ＩＦ信号を単独で、またはこのＢＳ−ＩＦ信号に基準信号を付加した信号を伝送路に送信するものである。なお、この送信手段３ｄから既存のＢＳチャンネル放送波信号の中間周波数であるＢＳ−ＩＦ信号を送信してもよい。なお、この実施の形態での説明では、伝送路の伝送特性を測定し、ＢＳ追加チャンネルのＢＳ−ＩＦ信号が問題なく伝送できるか試験するという意味で、場合によっては「被測定伝送路」、「試験伝送路」と記載する。
【００２０】
受信部５は、受信手段５ａと、基準信号周波数変換手段５ｂと、局部発振信号生成手段５ｃと、出力手段５ｄとを備えている。
受信手段５ａは、送信部３の送信手段３ｄから送信されたＢＳ追加チャンネル放送波信号の中間周波数信号であるＢＳ−ＩＦ信号または、このＢＳ−ＩＦ信号に基準信号が付加された信号を受信するものである。
【００２１】
基準信号周波数変換手段５ｂは、受信手段５ａで受信した信号に基準信号が付加されていた場合に、この基準信号に基づいて、局部発振信号を生成するものである。
局部発振信号生成手段５ｃは、受信手段５ａで受信した信号に基準信号が付加されていない場合に、受信部５で、局部発振信号を生成するものである。なお、局部発振信号は、送信部３と受信部５とで共通に保持される基準信号に基づいて生成される方が好適である。その理由は、ＢＳデジタル放送において、伝送路に送信される信号（伝送信号とする）には、伝送路で生じる位相雑音の影響を受けやすく、特に、周波数変換を伴う伝送信号が送信される伝送路では、局部発振信号の位相雑音が伝送信号の品質に影響を及ぼす可能性が高いからである。しかしながら、伝送路（被測定伝送路）の通過帯域特性により、受信部５の受信手段５ａまで基準信号が伝送できない場合ある。こういった場合に、この局部発振信号生成手段５ｃによって局部発振信号を受信部５で生成することが必要となる。
【００２２】
出力手段５ｄは、基準信号周波数変換手段５ｂまたは局部発振信号生成手段５ｃによって生成された局部発振信号に基づいて、ＢＳ追加チャンネル放送波信号の中間周波数信号であるＢＳ−ＩＦ信号を変換元の周波数に変換し、既存のＢＳデジタルチューナに出力するものである。
【００２３】
（ＢＳ追加チャンネル用伝送路試験装置の動作）
次に、図２に示すフローチャートとを参照して、ＢＳ追加チャンネル用伝送路試験装置１の動作を説明する（適宜図１参照）。
まず、ＢＳ追加チャンネル用伝送路試験装置１の送信部３の既存ＢＳチャンネル放送波信号入力手段３ａにＢＳ−ＩＦ信号を含む信号が入力されると、必要ならＵＨＦ、ＶＨＦテレビ信号から既存のＢＳチャンネル放送波信号が分離され、レベルが調整されてＢＳ追加チャンネル放送波信号生成手段３ｂに渡される。そして、ＢＳ追加チャンネル放送波信号生成手段３ｂで既存のＢＳチャンネル放送波信号に基づいて、試験用ＢＳ追加チャンネル放送波信号波の中間周波数であるＢＳ−ＩＦ信号が生成される（Ｓ１）。
【００２４】
次に、送信部３から送信する被測定伝送路の通過帯域特性に応じて、基準信号をＢＳ−ＩＦ信号に付加するかどうかが判断される（Ｓ２）。なお、この判断は、予め、ＢＳ追加チャンネル用伝送路試験装置１が記憶部（メモリ部、図示せず）を備えており、この記憶部に記憶された被測定伝送路に関するデータに基づいて、当該装置１が自動的に判断する動作であってもよいし、ＢＳ追加チャンネル用伝送路試験装置１の使用者（ユーザ）の判断であってもよい。
【００２５】
Ｓ３にて、ＢＳ−ＩＦ信号に基準信号を付加すると判断された場合には、基準信号付加手段３ｃで、基準信号が付加される（Ｓ３）。そして送信手段３ｄで被測定伝送路に送信される（Ｓ４）。
すると、受信部５では、被測定伝送路を介して伝送された信号が受信部５の受信手段５ａで受信されたかどうかが判断される（Ｓ５）。受信されたと判断される（Ｎｏ）まで待機され、受信手段５ａで受信されたと判断された場合（Ｙｅｓ）には、受信した信号に基準信号が含まれているかどうかが判断される（Ｓ６）。基準信号が含まれていると判断された場合（Ｙｅｓ）には、受信手段５ａで受信した信号に含まれていた基準信号に基づいて、基準信号周波数変換手段５ｂで局部発振信号が生成される（Ｓ７）。
【００２６】
また、Ｓ６にて、基準信号が含まれていると判断されない場合（Ｎｏ）には、この受信部５に備えられている局部発振信号生成手段５ｃで局部発振信号が生成される（Ｓ８）。そして、基準信号周波数変換手段５ｂまたは局部発振信号生成手段５ｃで生成された局部発振信号に基づいて、出力手段５ｄで試験用ＢＳ追加チャンネル放送波信号の中間周波数であるＢＳ−ＩＦ信号が変換元の周波数に変換される（Ｓ９）。その後、周波数変換された変換元のＩＦ信号がＢＳデジタルチューナに出力される（Ｓ１０）。
【００２７】
このＢＳ追加チャンネル用伝送路試験装置１の動作では、送信部３で生成されたＢＳ追加チャンネル放送波信号の中間周波数信号であるＢＳ−ＩＦ信号を既存のＢＳチャンネル放送波信号から生成して伝送路に送信し、受信部５で受信後、変換して既存のＢＳデジタルチューナに出力できるかを試験することで、送信部３と受信部５とに介装されていることになる伝送路（被測定伝送路）の伝送特性、すなわち、ＢＳ追加チャンネル放送波信号の中間周波数信号であるＢＳ−ＩＦ信号（ＢＳ−１７、ＢＳ−１９、ＢＳ−２１、ＢＳ−２３）を正常に（著しい減衰なく）伝送できるかどうかを試験することができる。
【００２８】
（ＢＳ追加チャンネル用伝送路試験装置の実施例１）
次に、図３に示すＢＳ追加チャンネル用伝送路試験装置の実施例について説明する。この実施例は、既存のＢＳ放送８チャンネルをデジタル信号とし、さらにＢＳ追加チャンネル放送波ＢＳ−１７、１９、２１、２３を伝送路（図中、試験伝送路）に伝送して、当該試験伝送路の伝送特性を試験する場合について説明したものである。図３は、この実施例１を説明するために、図１に示したＢＳ追加チャンネル用伝送路試験装置１のブロック図を、より具体的な回路の構成により描き直したものであり、ＢＳ追加チャンネル用伝送路試験装置１Ａ（送信部３Ａ、受信部５Ａ）とする。
【００２９】
まず、送信部３Ａにおける信号の流れについて説明する。
このＢＳ追加チャンネル用伝送路試験装置１Ａにより伝送特性を試験する設備の伝送路（試験伝送路）に送信部３Ａを配置する位置において、ＵＨＦおよびＶＨＦテレビ信号の伝送線路とＢＳ−ＩＦ信号の伝送線路とが別々になっている場合には、図３中左上端に図示した送信部３Ａの端子Ｔ１にＵＨＦおよびＶＨＦテレビ信号の伝送線路を接続し、端子Ｔ２にＢＳ−ＩＦ信号の伝送線路を接続する。この場合、スイッチＳＷ１は端子Ｔ３に接続され、図３中の送信部３Ａの右端の中程に図示した接点Ｊ１にＵＨＦおよびＶＨＦテレビ信号が供給される。
【００３０】
また、ＵＨＦおよびＶＨＦテレビ信号の伝送線路とＢＳ−ＩＦ信号の伝送線路とが共通になっている場合、これらの伝送線路が端子Ｔ２に接続され、この端子２から信号が供給される。この場合、スイッチＳＷ１は端子４に接続され、接点Ｊ１にＵＨＦおよびＶＨＦテレビ信号が供給される。
【００３１】
そして、端子Ｔ２に供給されたＢＳ−ＩＦ信号は分波器７を介して、線路Ｌ１より可変減衰器（図中、可変ＡＴＴ）９に供給され、さらに、この可変ＡＴＴ９を経て増幅器１１に供給され、この増幅器１１によって増幅される。なお、分波器７では、端子Ｔ２にＵＨＦおよびＶＨＦテレビ信号とＢＳ−ＩＦ信号とが供給された場合に、これらの信号を分離して、ＢＳ−ＩＦ信号は線路Ｌ１に、ＵＨＦおよびＶＨＦテレビ信号は線路Ｌ２に出力される。
【００３２】
そして、増幅器１１で増幅されたＢＳ−ＩＦ信号は接点Ｊ２で２分配され、バンドパスフィルタ１３（図中、ＢＰＦ１３）によってＢＳ−１チャンネル、ＢＳ−３チャンネルに該当する周波数の信号が、また、バンドパスフィルタ１５（図中、ＢＰＦ１５）によってＢＳ−１３チャンネル、ＢＳ−１５チャンネルに該当する周波数の信号が抜き取られる。なお、ＢＳ−１チャンネル、ＢＳ−３チャンネル、ＢＳ−１３チャンネル、ＢＳ−１５チャンネルはデジタル放送であることを前提とする。
【００３３】
また、この送信部３では、基準信号付加手段３ｃを構成する一つとして、発振器１７（図３中、送信部３Ａの左下端に図示）が備えられており、この発振部１７は、周波数７６．７２ＭＨｚの正弦波信号（基準信号）を発生させており、この正弦波信号は逓倍器１９に供給され、この逓倍器１９によって整数倍の正弦波信号が発生される。
【００３４】
さらに、バンドパスフィルタ２１、２３、２５（図中、ＢＰＦ２１、２３、２５）によって、それぞれ正弦波信号の４倍、２倍、３倍の周波数にあたる３０６．８８ＭＨｚ、１５３．４４ＭＨｚ、２３０．１６ＭＨｚの正弦波信号が抜き取られ、増幅器２７、２９、３１によってそれぞれ増幅される。
【００３５】
そして、これらの増幅器２７、２９、３１で増幅された信号はミキサー３３、３５、３７に供給される。これらのミキサー３３、３５、３７のうち、ミキサー３３では、接点Ｊ３を介して、ＢＳ−１チャンネルおよびＢＳ−３チャンネルのＢＳ−ＩＦ信号と、増幅器２７によって増幅された３０６．８８ＭＨｚの正弦波信号とが加えられており、いわゆるヘテロダイン方式によってＢＳ−１７チャンネルおよびＢＳ−１９チャンネルの周波数に周波数変換されて、バンドパスフィルタ３９（図中、ＢＰＦ３９）によって、当該チャンネルに該当する周波数の信号が抜き取られる。
【００３６】
同様に、ミキサー３５では、接点Ｊ４を介して、ＢＳ−１１チャンネルおよびＢＳ−１５チャンネルのＢＳ−ＩＦ信号と、増幅器２７によって増幅された１５３．４４ＭＨｚの正弦波信号とが加えられており、ヘテロダイン方式によってＢＳ−２１チャンネルおよびＢＳ−２３チャンネルの周波数に周波数変換されて、バンドパスフィルタ４１（図中、ＢＰＦ４１）によって、当該チャンネルに該当する周波数の信号が抜き取られる。
【００３７】
これらのＢＰＦ３９、４１によって抜き取られたＢＳ−１７チャンネル、ＢＳ−１９チャンネル、ＢＳ−２１チャンネル、ＢＳ−２３チャンネルに該当する周波数は、接点Ｊ５において混合され、増幅器４３で増幅され、接点Ｊ６に出力される。
【００３８】
また、接点Ｊ３において分岐されたＢＳ−１チャンネルおよびＢＳ−３チャンネルのＢＳ−ＩＦ信号はローパスフィルタ４５（図中、ＬＰＦ４５）に供給され、接点Ｊ４において分岐されたＢＳ−１３チャンネルおよびＢＳ−１５チャンネルのＢＳ−ＩＦ信号はハイパスフィルタ４７（図中、ＨＰＦ４７）に供給される。これらのＬＰＦ４５とＨＰＦ４７とによって不要な周波数成分が除去され、接点Ｊ７を介して、信号レベル調整用の減衰器４９（図中、ＡＴＴ４９）に供給され、接点Ｊ８に出力される。
【００３９】
また、接点Ｊ６において分岐されたＢＳ−１７チャンネル、ＢＳ−１９チャンネル、ＢＳ−２１チャンネル、ＢＳ−２３チャンネルのＢＳ−ＩＦ信号がハイパスフィルタ５１（図中、ＨＰＦ５１）に供給される。このＨＰＦ５１によって不要な周波数成分が除去され、信号レベル調整用の減衰器５３（図中、ＡＴＴ５３）に供給され、接点Ｊ８に出力される。
【００４０】
そして、ミキサー３７には、接点Ｊ６において分岐されたＢＳ−１７チャンネル、ＢＳ−１９チャンネル、ＢＳ−２１チャンネル、ＢＳ−２３チャンネルのＢＳ−ＩＦ信号と、増幅器３１によって増幅された２３０．１６ＭＨｚの正弦波信号とが加えられており、ヘテロダイン方式によってＢＳ−５チャンネル、ＢＳ−７チャンネル、ＢＳ−９チャンネル、ＢＳ−１１チャンネルのＢＳ−ＩＦ信号に周波数変換されて、バンドパスフィルタ５５（図中、ＢＰＦ５５）によって、不要な周波数成分が除去されて、接点Ｊ９に出力される。
【００４１】
したがって、接点Ｊ９では、ＢＳ−１、３、５、７、９、１１、１３、１５、１７、１９、２１、２３チャンネルのＢＳ−ＩＦ信号が混合されており、この混合されたＢＳ−ＩＦ信号が増幅器５７に供給され、この増幅器５７によって増幅される。そして、この増幅器５７によって増幅されたＢＳ−ＩＦ信号が接点Ｊ１０に出力される。また、この接点Ｊ１０には、発振器１７によって発振された正弦波信号（基準信号）が接点Ｊ１１において分岐され、増幅器５９に供給され、この増幅器５７によって増幅された正弦波信号（基準信号）が出力されている。そして、接点１０を介して出力されている増幅されたＢＳ−ＩＦ信号および増幅された正弦波信号（基準信号）と、スイッチＳＷ１を介して接点Ｊ１に供給されているＵＨＦおよびＶＨＦテレビ信号とが、端子Ｔ５から試験用伝送路に出力される。
【００４２】
この送信部３Ａの端子Ｔ５から出力された信号が、試験伝送路に供給された後、例えば、任意の受信端子（図示せず）で信号を取り出して、この取り出した信号についてスペクトルアナライザ等で波形観測することも可能である。また、受信部５とＢＳデジタルチューナ（図示せず）との組み合わせによって、受信部５で受信した後、ＢＳデジタルチューナに出力することで、ＢＳ追加チャンネルのＢＳ−ＩＦ信号が試験伝送路に伝送される際の伝送特性を把握することができる。
【００４３】
次に、受信部５Ａにおける信号の流れについて説明する。
受信部５Ａは、送信部３Ａにおいて周波数変換により生成されたＢＳ追加チャンネルのＢＳ−ＩＦ信号を、既存の（すなわち、市販されている）ＢＳデジタルチューナで受信させるためのものである。試験伝送路（被測定伝送路）の調査（試験）したい端子と、受信部５Ａの端子Ｔ６（図３中、受信部３の左上端に図示）とを、同軸ケーブル（図示せず）を使って接続する。
【００４４】
まず、この受信部５Ａでは、調査したい端子によって、印加されているＢＳ−ＩＦ信号の電圧が異なっているので、可変抵抗減衰器６１（図中、可変ＡＴＴ６１）によって、増幅器６３に供給される電圧のレベルが調整される。そして、この増幅器６３で増幅された信号（被測定信号）は接点Ｊ１２、接点Ｊ１３、接点Ｊ１４、接点Ｊ１５において、４つに分岐され、バンドパスフィルタ６５（図中、ＢＰＦ６５）に供給される。このＢＰＦ６５に供給された被測定信号は、当該ＢＰＦ６５によって、周波数変換に必要とされる基準信号となる周波数７６．７２ＭＨｚの正弦波信号が抜き取られ、増幅器６７によって増幅される。
【００４５】
そして、この増幅器６７によって増幅された正弦波信号は、送信部３での動作と同じように、逓倍器６９と、バンドパスフィルタ７１、７３、７５（図中、ＢＰＦ７１、ＢＰＦ７３、ＢＰＦ７５）と、増幅器７７、７９、８１とによって、それぞれ周波数２３０．１６ＭＨｚ（３倍）、１５３．４４ＭＨｚ（２倍）、３０６．８８ＭＨｚ（４倍）の正弦波信号とされる。
【００４６】
また、接点Ｊ１２から分岐された被測定信号は、スイッチＳＷ２（図３中、受信部５Ａの右上端に図示）に接続される端子Ｔ７に供給される。
また、接点Ｊ１３から分岐された被測定信号は、バンドパスフィルタ８３（図中、ＢＰＦ８３）によって、ＢＳ−５、７、９、１１チャンネルのデジタルのＢＳ−ＩＦ信号が抜き取られ、ミキサー８５に供給される。このミキサー８５には、周波数２３０．１６ＭＨｚの正弦波信号も加えられており、ヘテロダイン方式により周波数変換される。そして、このミキサー８５から出力された周波数変換後の信号は、接点Ｊ１６において分岐されるバンドパスフィルタ８７（図中、ＢＰＦ８７）とバンドパスフィルタ８９（図中、ＢＰＦ８９）との組み合わせによって、ＢＳ−１、３、１３、１５チャンネルのデジタルのＢＳ−ＩＦ信号が抜き取られる。そして、スイッチＳＷ２に接続される端子Ｔ８に供給される。
【００４７】
また、接点Ｊ１４から分岐された被測定信号は、バンドパスフィルタ９１（図中、ＢＰＦ９１）によって、ＢＳ−１７、１９チャンネルのデジタルのＢＳ−ＩＦ信号が抜き取られ、ミキサー９３に供給される。このミキサー９３には、周波数３０６．８８ＭＨｚの正弦波信号も加えられており、ヘテロダイン方式により周波数変換され、ＢＳ−１、３チャンネルのデジタルのＢＳ−ＩＦ信号が得られる。なお、このミキサー９３からはこれらの信号以外の信号（不要信号）も出力されるが、ここでは、目的の動作に影響を及ぼさないので、当該不要信号を出力させる電力の抑圧を省略して、不要信号も接点Ｊ１７に出力させている。そして、この接点Ｊ１７からスイッチＳＷ２に接続される端子Ｔ９に、ＢＳ−１、３チャンネルのデジタルのＢＳ−ＩＦ信号および不要信号が供給される。
【００４８】
また、接点Ｊ１５から分岐された被測定信号は、バンドパスフィルタ９５（図中、ＢＰＦ９５）によって、ＢＳ−２１、２３チャンネルのデジタルのＢＳ−ＩＦ信号が抜き取られ、ミキサー９７に供給される。このミキサー９７には、周波数１５３．４４ＭＨｚの正弦波信号も加えられており、ヘテロダイン方式により周波数変換され、ＢＳ−１３、１５チャンネルのデジタルのＢＳ−ＩＦ信号が得られる。なお、このミキサー９５からはこれらの信号以外の信号（不要信号）も出力されるが、ここでは、目的の動作に影響を及ぼさないので、当該不要信号を出力させる電力の抑圧を省略して、不要信号も接点Ｊ１７に出力させている。そして、この接点Ｊ１７からスイッチＳＷ２に接続される端子Ｔ９に、ＢＳ−１３、１５チャンネルのデジタルのＢＳ−ＩＦ信号および不要信号が供給される。
【００４９】
すると、スイッチＳＷ２において、現在放送されているＢＳ−１、３、１３、１５チャンネルについて試験伝送路の伝送特性を測定する場合には、当該スイッチＳＷ２の接続位置を端子Ｔ７の位置にし、ＢＳ−５、７、９、１１チャンネルについて試験伝送路の伝送特性を測定する場合には、当該スイッチＳＷ２の接続位置を端子Ｔ８の位置にし、ＢＳ−１７、１９、２１、２３チャンネル（追加チャンネル）について試験伝送路の伝送特性を測定する場合には、当該スイッチＳＷ２の接続位置を端子Ｔ９の位置にして、端子Ｔ１０から試験伝送路の伝送特性の結果をＢＳデジタルチューナに出力させる。そして、端子Ｊ１０に接続されたＢＳデジタルチューナによって受信状態を確認することができる。
【００５０】
（ＢＳ追加チャンネル用伝送路試験装置の実施例２）
次に、図４に示すＢＳ追加チャンネル用伝送路試験装置の実施例について説明する。この実施例は、既存のＢＳ放送４波のデジタル信号とＢＳ放送４波のアナログ信号とＢＳ追加チャンネル放送波信号ＢＳ−１７、１９、２１、２３とを伝送路（図中、試験伝送路）に伝送して、当該試験伝送路の伝送特性を試験する場合について説明したものである。図４は、この実施例２を説明するために、図１に示したＢＳ追加チャンネル用伝送路試験装置１のブロック図を、より具体的な回路の構成により描き直したものであり、ＢＳ追加チャンネル用伝送路試験装置１Ｂ（送信部３Ｂ、受信部５Ｂ）とする。
【００５１】
この図４に示したＢＳ追加チャンネル用伝送路試験装置１Ｂにおいて、図３に示したＢＳ追加チャンネル用伝送路試験装置１Ａと同様の構成部分（送信部３Ｂの点線で囲った部分）については同一の符号を付し、その説明を省略する。
【００５２】
まず、送信部３Ｂにおける信号の流れについて説明する。
送信部３Ｂの接点Ｊ２１には、受信したＢＳ−１〜１５チャンネルのＢＳ−ＩＦ信号が加えられており、この接点Ｊ２１において２つに分岐され、一方のＢＳ−ＩＦ信号はバンドパスフィルタ１０１（図中、ＢＰＦ１０１）と減衰器１０３（図中、ＡＴＴ１０３）とを経由して、不要な信号の周波数の除去と、電圧レベル調整がなされる。他方のＢＳ−ＩＦ信号は、接点Ｊ２２において２つに分岐され、バンドパスフィルタ１０５（図中、ＢＰＦ１０５）と、バンドパスフィルタ１０７（図中、ＢＰＦ１０７）とに供給される。ＢＰＦ１０５では、ＢＳ−１〜３チャンネルのＢＳ−ＩＦ信号が抜き取られ、ミキサー１０９に供給される。ＢＰＦ１０７では、ＢＳ−１３〜１５チャンネルのＢＳ−ＩＦ信号が抜き取られ、ミキサー１１１に供給される。
【００５３】
ここで、これらのミキサー１０９、１１１に供給される正弦波信号を生成する発振器について説明しておく。この送信部３Ｂには発振器１１３（図４中、送信部３Ｂの中央下方に図示）が備えられており、この発振器１１３はヘテロダイン方式による周波数変換に必要な基準信号となる連続波（正弦波信号）を発生させるものである。
【００５４】
この発振器１１３において発生された正弦波信号（基準信号）は、この発振器１１３から２逓倍器１１５（図中、２逓倍）、バンドパスフィルタ１１７（図中、ＢＰＦ１１７）、増幅器１１９を経てミキサー１０９に供給される。つまり、発振器１１３から供給された正弦波信号（基準信号）は、２逓倍器１１５において２倍の周波数にされ、さらにＢＰＦ１１７において帯域制限され、増幅器１１９において増幅される。これら回路群によって正弦波信号が周波数変換用の局部発振信号とされ、ミキサー１０９に供給されている。また、この発振器１１３において発生された正弦波信号は、レベル調整用の減衰器１２１（図中、ＡＴＴ１２１）を介して、ミキサー１１１に供給されている。
【００５５】
また、この発振器１１３において発生された正弦波信号は、レベル調整用の減衰器１２３（図中、ＡＴＴ１２３）とスイッチＳＷ３とを介して接点Ｊ２４に供給される。この場合スイッチＳＷ３は“閉”の状態にしておく。なお、この送信部３Ｂの発振器１１３において発生される周波数１５３．４４ＭＨｚの周波数変換用の基準信号が試験伝送路（被測定伝送路）の通過帯域特性により、受信側の受信部５Ｂの被測定端子（後記する）まで伝送できない場合には、受信部５Ｂで当該基準信号を発生させる。この場合には、送信部３ＢのスイッチＳＷ３は“開”の状態にしておく。
【００５６】
これより、ミキサー１０９、１１１に供給された信号の説明を再開する。
ミキサー１０９では、周波数３０６．８８ＭＨｚの連続波（正弦波信号）も供給されており、ＢＰＦ１０５から供給された信号は、ヘテロダイン方式により、ＢＳ−１７〜１９チャンネルのＢＳ−ＩＦ信号に周波数変換される。さらにバンドパスフィルタ１２５（図中、ＢＰＦ１２５）により不要な信号の周波数成分が除去される。また、同様の動作により、ミキサー１１１では、周波数１５３．４４ＭＨｚの連続波（正弦波信号）も供給されており、ＢＰＦ１０７から供給された信号は、ヘテロダイン方式により、ＢＳ−２１〜２３チャンネルのＢＳ−ＩＦ信号に周波数変換される。さらにバンドパスフィルタ１２７（図中、ＢＰＦ１２７）により不要な信号の周波数成分が除去される。
【００５７】
このように、周波数変換によりＢＳ−１、３、１３、１５チャンネルの放送波信号のＢＳ−ＩＦ信号から生成されたＢＳ−１７、１９、２１、２３チャンネルのＢＳ−ＩＦ信号と、ＢＰＦ１０１とＡＴＴ１０３とによって抜き取られレベル調整されたＢＳ１〜１５チャンネルの信号とが、接点Ｊ２３において合流し、増幅器１２９において増幅される。そして、接点Ｊ２４には、発振器１１３において発生された正弦波信号と、増幅器１２９において増幅されたＢＳ−１〜２３チャンネルの信号と、スイッチＳＷ１から供給されるＵＨＦおよびＶＨＦのテレビ信号とが供給されており、これらの信号が合流され、送信部３Ｂの端子Ｔ１１から試験伝送路に出力される。
【００５８】
送信部３Ｂの端子Ｔ１１から出力された信号は、試験伝送路（被測定伝送路）に供給され、例１と同様に、例えば、任意の受信端子（図示せず）で信号を取り出して、この取り出した信号についてスペクトルアナライザ等で波形観測することも可能である。また、受信部５とＢＳデジタルチューナ（図示せず）との組み合わせによって、受信部５で受信した後、ＢＳデジタルチューナに出力することで、ＢＳ追加チャンネルのＢＳ−ＩＦ信号が試験伝送路に伝送される際の伝送特性を把握することができる。
【００５９】
次に、受信部５Ｂにおける信号の流れについて説明する。
受信部５Ｂの端子Ｔ１２には、試験伝送路（被測定端子）からＢＳ−ＩＦ信号と、ＵＨＦおよびＶＨＦテレビ信号と、送信部３Ｂから周波数変換用の信号が送信されている場合にはこの信号（正弦波信号［基準信号］）とが供給される。
【００６０】
これらの信号は、増幅器１３１で増幅され、接点Ｊ２５において４つに分岐される。４つに分岐された１つの信号は、そのままスイッチＳＷ４に接続されている端子Ｔ１３に供給され、分岐された他の３つの信号は、バンドパスフィルタ１３３（図中、ＢＰＦ１３３）、バンドパスフィルタ１３５（図中、ＢＰＦ１３５）、バンドパスフィルタ１３７（図中、ＢＰＦ１３７）にそれぞれ供給される。
【００６１】
ＢＰＦ１３３は、接点Ｊ２５から供給された信号からＢＳ−１７、１９チャンネルの信号のみを取り出すもので、このＢＰＦ１３３で取り出された信号は、ミキサー１３９に供給される。このミキサー１３９では、供給された信号をヘテロダイン方式によりＢＳ−１、３チャンネルに周波数変換し、スイッチＳＷ４に接続されている端子Ｔ１４に供給される。
【００６２】
ＢＰＦ１３５は、接点Ｊ２５から供給された信号からＢＳ−２１、２３チャンネルの信号のみを取り出すもので、このＢＰＦ１３５で取り出された信号は、ミキサー１４１に供給される。このミキサー１４１では、供給された信号をヘテロダイン方式によりＢＳ−１３、１５チャンネルに周波数変換し、スイッチＳＷ４に接続されている端子Ｔ１５に供給される。
【００６３】
ＢＰＦ１３７は、送信部３Ｂから周波数変換用の１５３．４４ＭＨｚの基準信号（正弦波信号［基準信号］）が送信された場合に、この信号を取り出すためのもので、取り出された信号は、スイッチＳＷ５に接続されている端子Ｔ１６を経て、増幅器１４３に供給される。なお、送信部３Ｂから周波数変換用の１５３．４４ＭＨｚの基準信号（正弦波信号［基準信号］）が送信されていない場合に、スイッチＳＷ５に接続されている端子Ｔ１７と発振器１４５とが接続され、この発振器１４５において発生された周波数変換用の１５３．４４ＭＨｚの基準信号（正弦波信号［基準信号］）が増幅器１４３に供給される。
【００６４】
この増幅器１４３で増幅された１５３．４４ＭＨｚの連続波（基準信号）は、接点Ｊ２６において２つに分岐され、分岐された１つの連続波（基準信号）は、そのまま、周波数変換用の局部発振信号として、ミキサー１４１に供給される。また、分岐されたもう１つの連続波（基準信号）は、２逓倍器１４７（図中、２逓倍１４７）に供給され、この２逓倍器１４７で２倍の周波数信号が生成される。この２逓倍器１４７で２倍にされた周波数信号は、バンドパスフィルタ１４９（図中、ＢＰＦ１４９）によって不要な信号の周波数成分が除去され、ミキサー１３９に供給される。
【００６５】
また、スイッチＳＷ４は、放送されているデジタルのＢＳ−１、３、１３、１５チャンネル、または、アナログのＢＳ−５、７、９、１１チャンネルについて、試験伝送路の伝送特性を測定する場合には、端子Ｔ１３に接続する位置に切り替えて端子Ｔ１８に出力させる。また、このスイッチＳＷ４は、ＢＳ−１７、１９の追加チャンネルに周波数変換して伝送されたＢＳデジタルの信号について、試験伝送路の伝送特性を測定する場合には、端子Ｔ１４に接続する位置に、ＢＳ−２１、２３の追加チャンネルに周波数変換して伝送されたＢＳデジタルの信号について、試験伝送路の伝送特性を測定する場合には、端子Ｔ１５に接続する位置にそれぞれ切り替えて端子Ｔ１８に出力させる。
【００６６】
この端子Ｔ１８に市販のＢＳデジタルチューナを接続して、ＢＳ追加チャンネル用伝送路試験装置１Ｂのユーザは、受信状態を確認することができる。
【００６７】
この実施の形態では以下の効果を奏す。
ＢＳ追加チャンネル用伝送路試験装置１（１Ａ、１Ｂ）を使用することで、従来、既設集合住宅のテレビ共同受信設備においてＢＳ追加チャンネルのＢＳ−ＩＦ信号帯に対応していない機器、特に、いわゆるアナログ衛星放送が開始された頃に施工された共同受信設備でＢＳ−１〜１５チャンネルまで対応している機器に対して、専用の試験信号発生装置を必要とすることなく、市販のＢＳチューナに何ら修正することなく、一般の試験信号や放送波を伝送して判断することなく、ＢＳ追加チャンネルについて良好に伝送できるか試験することができる。
【００６８】
つまり、ＢＳ追加チャンネル用伝送路試験装置１の送信部３のＢＳ追加チャンネル放送波信号生成手段３ｂで既存のＢＳチャンネル放送信号から試験用ＢＳ追加チャンネル放送波信号が生成される。そして、基準信号付加手段３ｃで、基準信号が試験用ＢＳ追加チャンネル放送波信号に付加され、送信手段３ｄで伝送路に送信される。伝送路を介して受信手段５ａで受信した基準信号に基づいて基準信号周波数変換手段５ｂで周波数変換用の局部発振信号が生成される。この周波数変換用の局部発振信号に基づいて、出力手段５ｄで試験用ＢＳ追加チャンネル放送波信号が変換元の周波数、すなわち、既存のＢＳチャンネル放送波信号に変換され既存のＢＳデジタルチューナに出力される。
【００６９】
また、伝送路の周波数通過帯域が基準周波数信号にマッチせず、送信部３から基準信号を送信できない場合には、受信部５の局部発振信号生成手段５ｃで生成された周波数変換用の局部発振信号に基づいて、出力手段５ｄで試験用ＢＳ追加チャンネル放送波信号が変換元の周波数、すなわち、既存のＢＳチャンネル放送波信号に変換され既存のＢＳデジタルチューナに出力される。
【００７０】
そして、ＢＳデジタルチューナからの出力を確認することで、ＢＳ追加チャンネル用伝送路試験装置１のユーザは、試験対象設備のＢＳ追加チャンネルの受信状態を確認することができ、ＢＳ追加チャンネルについて試験対象設備が良好に伝送できるか試験することができる。
【００７１】
以上、一実施形態に基づいて本発明を説明したが、本発明はこれに限定されるものではない。
この実施の形態において、既存のＢＳチャンネル放送波信号が入力されるものとして説明したが、これは信号発生器から発生される既存ＢＳチャンネルのＩＦ信号であってもよい。
また、ＢＳ追加チャンネル用伝送路試験装置１の各構成の処理を各過程（ステップ）とみなしたＢＳ追加チャンネル用伝送路試験方法と捉えることも可能である。この場合、ＢＳ追加チャンネル用伝送路試験装置１と同様の効果を得ることができる。
【００７２】
【発明の効果】
請求項１記載の発明によれば、ＢＳ追加チャンネル放送波信号生成手段で既存のＢＳチャンネル放送信号から試験用ＢＳ追加チャンネル放送波信号が生成され、基準信号と共に、送信部から伝送路に送信される。伝送路を介して受信部の受信手段で受信した基準信号に基づいて周波数変換手段で周波数変換用局部発振信号が生成され、この周波数変換用局部発振信号に基づいて、出力手段で試験用ＢＳ追加チャンネル放送波信号が変換元の周波数に変換され出力される。このため、ＢＳ追加チャンネル用伝送路試験装置のユーザは、例えば、試験用ＢＳ追加チャンネル放送波信号が変換元の周波数に変換された信号をＢＳデジタルチューナに出力させ、このＢＳデジタルチューナからの出力を確認することで、試験対象設備のＢＳ追加チャンネルの受信状態を確認することができ、ＢＳ追加チャンネルについて試験対象設備が良好に伝送できるか試験することができる。
【００７３】
請求項２記載の発明によれば、ＢＳ追加チャンネル放送波信号生成手段で既存のＢＳチャンネル放送信号から試験用ＢＳ追加チャンネル放送波信号が生成され、送信部から伝送路に送信される。その後、受信部の局部発振信号生成手段で生成された周波数変換用局部発振信号に基づいて、出力手段で試験用ＢＳ追加チャンネル放送波信号が変換元の周波数に変換され、例えば、既存のＢＳデジタルチューナに出力される。このため、ＢＳ追加チャンネル用伝送路試験装置のユーザは、ＢＳデジタルチューナからの出力を確認することで、試験対象設備のＢＳ追加チャンネルの受信状態を確認することができ、ＢＳ追加チャンネルについて試験対象設備が良好に伝送できるか試験することができる。
【００７４】
請求項３記載の発明によれば、既存ＢＳチャンネル放送波信号入力手段で既存のＢＳチャンネルのＩＦ信号が入力され、この入力された既存のＢＳチャンネルのＩＦ信号からＢＳ追加チャンネル放送波信号生成手段でＢＳ追加チャンネルであるＢＳ−１７、１９、２１、２３チャンネルの少なくとも１つのＢＳ−ＩＦ信号が生成される。このため、このＢＳ追加チャンネル用伝送路試験信号発生装置で発生されたＢＳ−１７、１９、２１、２３チャンネルの少なくとも１つのＢＳ−ＩＦ信号を試験対象となる伝送路に伝送し、受信側でＢＳデジタルチューナを接続すれば、当該伝送路がＢＳ追加チャンネルの放送波信号に適しているかどうかを試験することができる。
【図面の簡単な説明】
【図１】本発明による一実施の形態であるＢＳ追加チャンネル用伝送路試験装置のブロック図である。
【図２】図１に示したＢＳ追加チャンネル用伝送路試験装置の動作を説明したフローチャートである。
【図３】図１に示したＢＳ追加チャンネル用伝送路試験装置のブロック図を具体的な回路（例１）として描き直したブロック図である。
【図４】図１に示したＢＳ追加チャンネル用伝送路試験装置のブロック図を具体的な回路（例２）として描き直したブロック図である。
【符号の説明】
１  ＢＳ追加チャンネル用伝送路試験装置
３、３Ａ、３Ｂ  送信部
３ａ  既存ＢＳチャンネル放送波信号入力手段
３ｂ  ＢＳ追加チャンネル放送波信号生成手段
３ｃ  基準信号付加手段
３ｄ  送信手段
５、５Ａ、５Ｂ  受信部
５ａ  受信手段
５ｂ  周波数変換手段
５ｃ  局部発振信号生成手段
５ｄ  出力手段
【図１】
0003865301.tif 000002
【図２】
0003865301.tif 000003
【図３】
0003865301.tif 000004
【図４】
0003865301.tif 000005